(57)【特許請求の範囲】
【請求項１】
上端部の高さ位置が、屋根形状に応じて多段に異ならせて配置される複数の母屋と、
各母屋の上端部間にわたって張架される垂木と、
垂木を各母屋の上端部に固定する固定部材とを含み、
垂木は、弾発的に湾曲された状態で、固定部材によって母屋に固定され、
前記垂木は、はり間方向に延び、複数の母屋の上端部間にわたって張架される複数の垂木部材によって構成され、相互に隣接する２つの垂木部材のうち、上方側に配置される垂木部材の下端部には、垂木部材厚み方向に傾斜する第１接合面が形成され、
前記隣接する２つの垂木部材のうち、下方側に配置される垂木部材の上端部には、垂木部材厚み方向に傾斜する第２接合面が形成され、
前記上方側に配置される垂木部材の下端部と前記下方側に配置される垂木部材の上端部とは、第１接合面上に第２接合面を重ねた状態で当接されて継ぎ手部分を構成し、この継ぎ手部分が、前記固定部材によって母屋に固定されることを特徴とするの建造物の屋根構造体。
【請求項２】
ほぼ垂直に延びる柱に固定され、ほぼ水平に延びる小屋ばりと、
小屋ばりからほぼ垂直かつ上方に延び、小屋ばりに間隔をあけて固定される複数の小屋つかと、
けた行方向に延び、各小屋つかの上端部に固定される複数の母屋と、
各母屋の上端部間にわたって張架される垂木と、
垂木を各母屋の上端部に固定する固定部材とを含み、
複数の小屋つかの上端部は、その高さ位置が屋根形状に応じて多段的に変化し、垂木は弾発的に湾曲された状態で、固定部材によって各母屋に固定され、
前記垂木は、はり間方向に延び、複数の母屋の上端部間にわたって張架される複数の垂木部材によって構成され、相互に隣接する２つの垂木部材のうち、上方側に配置される垂木部材の下端部には、垂木部材厚み方向に傾斜する第１接合面が形成され、
前記隣接する２つの垂木部材のうち、下方側に配置される垂木部材の上端部には、垂木部材厚み方向に傾斜する第２接合面が形成され、
前記上方側に配置される垂木部材の下端部と前記下方側に配置される垂木部材の上端部とは、第１接合面上に第２接合面を重ねた状態で当接されて継ぎ手部分を構成し、この継ぎ手部分が、前記固定部材によって母屋に固定されることを特徴とするの建造物の屋根構造体。
【請求項３】
地面から所定の高さ位置に、ほぼ水平に延びる小屋ばりを設け、多段的に長さの異なる小屋つかを、屋根形状に応じて複数準備し、該小屋つかを小屋ばりに対してほぼ垂直に立設し、
けた行方向に延びる複数の母屋を、各小屋つか上に配置し、
相互に隣接する２つの垂木部材によって構成される垂木の継ぎ手部分を、はり間方向一方側から母屋に固定して、湾曲した第１の垂木を形成し、
前記第１の垂木の上面に、相互に隣接する２つの垂木部材によって構成される垂木の継ぎ手部分を、はり間方向他方側から母屋に固定して、前記第１の垂木に対して、ずれた位置に継ぎ手部分を配置して、湾曲した第２の垂木を形成し、
第２の垂木の上面に、野地板を弾発的に湾曲させて固定することを特徴とする建造物の屋根構造体の建造方法。
【発明の詳細な説明】
【０００１】
【発明の属する技術分野】
本発明は、湾曲した屋根形状を有する建造物の屋根構造体およびその建造方法に関する。
【０００２】
【従来の技術】
図１５は、従来の技術の建造物１の構成を妻側から見て示す断面図である。たとえば家屋などの建造物１は、基礎工事を経て、基礎部分２に土台３が敷設される。建造物１は、土台３から上方に延びる通し柱４および管柱が立設され、胴差しが管柱の上端部に取り付けられ、梁５が柱間を架橋される。建造物１は、２階用の根太が梁５および胴差しに架設されて、２階用の根太に２階用の床板が張られる。
【０００３】
また建造物１は、小屋組構造を有する。建造物１は、小屋ばり５ａが通し柱４の上端部間にほぼ水平に架橋される。小屋ばり５ａには、小屋ばり５ａから上方に延びる小屋つか６が、間隔をあけて複数固定される。複数の小屋つか６は、長さが多段的に変化されて設けられる。
【０００４】
建造物１は、複数の母屋７が各小屋つか６の上端部に固定され、各母屋７の上端部間にわたって垂木８が架設される。母屋間に架設される垂木８は、直線的に傾斜して延びて配置される。垂木８の上部には野地板が貼り付けられ、野地板の上部に瓦などの屋根葺材料が取り付けられる。
【０００５】
このような従来の構成を有する屋根構造体は、切妻屋根または寄棟屋根などの直線的に延びる垂木８によって屋根形状が決定する。建造物１の屋根形状の傾斜は、垂木８の傾斜する角度によって決定される。このような垂木８を母屋７に架設する屋根構造体は、垂木８がほぼ直線的に延びるので、湾曲した屋根形状に形成することが難しく、建造することができる屋根形状が制限されてしまう。したがって多様な屋根形状を形成することができず、居住者が望む屋根形状を形成することができないという問題がある。
【０００６】
図１６は、他の従来の技術の屋根構造体２０の一部を示し、妻側から見た断面図である。屋根構造体２０は、湾曲した湾曲部２２を有する構造用合板２１を含んで構成される。湾曲部２２は、建造される屋根構造体の屋根形状とほぼ同一形状の形状を有する。構造用合板２１は、柱１６間に嵌め込まれて、棟木２４と軒けた２５とによって固定される。湾曲部２２は、屋根構造体２０の外方に向かっ湾曲形状を有する。
【０００７】
母屋１７は、構造用合板２１の湾曲部２２に取り付けられ、母屋１７の上端部に野地板２３が取り付けられる。このように垂木の代用として湾曲部２２を有する構造用合板２１を用いることによって、屋根構造体２０は、湾曲した屋根形状を形成する。
【０００８】
図１７は、さらに他の従来の技術の屋根構造体３０の一部を示し、妻側から見た断面図である。屋根構造体３０は、屋根形状に応じて湾曲した梁集成材３１を有する。梁集成材３１は、湾曲した板状に形成される。梁集成材３１は、小屋ばり３５ａから上方に延びる複数のトラス部材３２によって支持され、小屋ばり３５の上端部に固定される。このように任意の形状に湾曲させた梁集成材３１を、トラス部材３２によって支持することによって、屋根構造体３０は、湾曲した屋根形状を形成する。
【０００９】
図１８は、さらに他の従来の技術の屋根構造体４０の一部を示し、妻側から見た断面図である。屋根構造体４０は、柱４６の上端部間にアーチ状に湾曲させたＨ型鋼４１が架橋される。Ｈ型鋼４１は、屋根形状に応じて形成される。また母屋４７がＨ型鋼４１に固定され、母屋４７の上端部に野地板４３が取り付けられる。このようにアーチ状に柱間を架橋するＨ型鋼４１を用いることによって、屋根構造体４０は、湾曲した屋根形状を形成する。
【００１０】
【発明が解決しようとする課題】
図１６に示す従来の技術の屋根構造体２０では、湾曲した屋根形状に応じて構造用合板２１を加工する必要がある。したがって屋根形状が異なった場合は、新たに構造用合板２１を製作しなければならず、構造用合板２１は、その生産コストが高くなる。したがって構造用合板２１が用いられる屋根構造体２０は、建造に費やされる費用が増加するという問題がある。
【００１１】
図１７に示す従来の技術の屋根構造体３０では、図１６に示す屋根構造体３０と同様に、梁集成材３１を屋根形状に応じて加工する必要があるので、建造に費やされる費用が増加するという問題がある。
【００１２】
図１８に示す従来の技術の屋根構造体４０でも、図１６および図１７に示す屋根構造体２０，３０と同様にＨ型鋼４１を屋根形状に応じてアーチ状に加工するので、建造に費やされる費用が増加するという問題がある。さらに鉄骨梁を用いた建造物は、通常の大工工事では建造することができない。したがってＨ型鋼４１を屋根構造体に用いる場合、大工工事以外の別業種者によって施工されるので、よりコスト高になるとともに納期がかかるという問題がある。また図１６〜図１８に示す従来の屋根構造体２０，３０，４０では、従来よく行われている切妻屋根の小屋組構造とは異なり、小屋組構造を工夫する必要があり、屋根形状が直線的である場合に比べて手間がかかるという問題がある。
【００１３】
したがって本発明の目的は、湾曲した屋根形状を、容易かつ安価に建造することができる建造物の屋根構造体およびその建造方法を提供することである。
【００１７】
【課題を解決するための手段】
本発明は、上端部の高さ位置が、屋根形状に応じて多段に異ならせて配置される複数の母屋と、
各母屋の上端部間にわたって張架される垂木と、
垂木を各母屋の上端部に固定する固定部材とを含み、
垂木は、弾発的に湾曲された状態で、固定部材によって母屋に固定され、
前記垂木は、はり間方向に延び、複数の母屋の上端部間にわたって張架される複数の垂木部材によって構成され、相互に隣接する２つの垂木部材のうち、上方側に配置される垂木部材の下端部には、垂木部材厚み方向に傾斜する第１接合面が形成され、
前記隣接する２つの垂木部材のうち、下方側に配置される垂木部材の上端部には、垂木部材厚み方向に傾斜する第２接合面が形成され、
前記上方側に配置される垂木部材の下端部と前記下方側に配置される垂木部材の上端部とは、第１接合面上に第２接合面を重ねた状態で当接されて継ぎ手部分を構成し、この継ぎ手部分が、前記固定部材によって母屋に固定されることを特徴とするの建造物の屋根構造体である。
【００１８】
本発明に従えば、垂木が弾発的に湾曲された状態で、固定部材によって母屋に固定される。したがって垂木は、弾発的に変形することによって、屋根形状に応じた形状になるので、湾曲した屋根形状であっても、各屋根形状に応じて垂木の形状を加工する必要がない。すなわち弾発性を有する垂木を、上端部の高さが多段的に異なって配置される母屋に固定することによって、任意の屋根形状を有する屋根構造体を容易に形成することができる。またこのように屋根形状に応じて垂木の形状を加工する必要がないので、垂木として用いられる垂木部材を、屋根形状にかかわらず共通化することができる。
【００１９】
また母屋の高さ位置および母屋間の間隔を、屋根形状に応じて適切に調整して、垂木を母屋に固定することによって、所定の湾曲した屋根形状に垂木を容易に変形させることができる。また建造物の建造現場で、母屋の高さ位置を微調整することによって、寸法誤差および取付誤差を修正し、正確な屋根形状を有する屋根構造体を形成することができる。
また複数の垂木部材によって垂木が構成され、上方側に配置される垂木部材の第１接合面と下方側に配置される垂木部材の第２接合面とが重なって継ぎ手部分を形成する。この継ぎ手部分が固定部材によって母屋に固定される。また固定部材は、垂木を厚み方向に挿通して、垂木を母屋に結合する。したがって固定部材は、厚み方向に垂木を挿通することによって、継ぎ手部分では、一方の垂木部材と他方の垂木部材とを挿通して、互いの垂木部材を連結することができる。
さらに継ぎ手部分を母屋上で固定することによって、継ぎ手部分上方から荷重が加えられた場合、継ぎ手部分が母屋に固定されるので、継ぎ手部分が下方に変形することを防止することができる。これによって接合部分である継ぎ手部分の変形を防ぎ、継ぎ手部分の強度を向上させることができる。
【００２０】
また本発明は、ほぼ垂直に延びる柱に固定され、ほぼ水平に延びる小屋ばりと、
小屋ばりからほぼ垂直かつ上方に延び、小屋ばりに間隔をあけて固定される複数の小屋つかと、
けた行方向に延び、各小屋つかの上端部に固定される複数の母屋と、
各母屋の上端部間にわたって張架される垂木と、
垂木を各母屋の上端部に固定する固定部材とを含み、
複数の小屋つかの上端部は、その高さ位置が屋根形状に応じて多段的に変化し、垂木は弾発的に湾曲された状態で、固定部材によって各母屋に固定され、
前記垂木は、はり間方向に延び、複数の母屋の上端部間にわたって張架される複数の垂木部材によって構成され、相互に隣接する２つの垂木部材のうち、上方側に配置される垂木部材の下端部には、垂木部材厚み方向に傾斜する第１接合面が形成され、
前記隣接する２つの垂木部材のうち、下方側に配置される垂木部材の上端部には、垂木部材厚み方向に傾斜する第２接合面が形成され、
前記上方側に配置される垂木部材の下端部と前記下方側に配置される垂木部材の上端部とは、第１接合面上に第２接合面を重ねた状態で当接されて継ぎ手部分を構成し、この継ぎ手部分が、前記固定部材によって母屋に固定されることを特徴とするの建造物の屋根構造体である。
【００２１】
本発明に従えば、小屋つかの高さ位置は、小屋つかの長さを変化することによって、容易に調整することができる。したがって複数の小屋つかの高さ位置を多段に異ならせて設けることによって、小屋つかごとに固定される母屋の高さ位置を多段に設けることができる。このように高さ位置が多段的に設けられた母屋間を、垂木が弾発的に湾曲されて、張架されることによって、湾曲した屋根形状を有する屋根構造体を形成することができる。
またこのような構成は、切妻屋根または寄棟屋根などの湾曲しない屋根形状を有する屋根構造体と類似している。したがって湾曲しない屋根構造体とほぼ同様の小屋組構造によって建造を行うことができる。すなわち従来の小屋組構造とほぼ同様の建造工程において、小屋つかの長さおよびピッチを、任意の屋根形状に応じて、調整するだけで垂木の湾曲具合を整えることができ、湾曲した屋根形状を有する屋根構造体を容易に形成することができる。
また複数の垂木部材によって垂木が構成され、２つの垂木部材の各接合面とが重なって継ぎ手部分を形成する。この継ぎ手部分が固定部材によって母屋に固定される。固定部材は、垂木を厚み方向に挿通して、垂木を母屋に結合する。したがって固定部材は、継ぎ手部分において、一方の垂木部材と他方の垂木部材とを挿通して、互いの垂木部材を連結することができる。
さらに継ぎ手部分を母屋上で固定することによって、継ぎ手部分上方から荷重が加えられた場合、継ぎ手部分が母屋に固定されるので、継ぎ手部分が変形することを防止することができる。これによって接合部分である継ぎ手部分の変形を防ぎ、継ぎ手部分の強度を向上させることができる。
【００３１】
また本発明は、地面から所定の高さ位置に、ほぼ水平に延びる小屋ばりを設け、多段的に長さの異なる小屋つかを、屋根形状に応じて複数準備し、該小屋つかを小屋ばりに対してほぼ垂直に立設し、
けた行方向に延びる複数の母屋を、各小屋つか上に配置し、
相互に隣接する２つの垂木部材によって構成される垂木の継ぎ手部分を、はり間方向一方側から母屋に固定して、湾曲した第１の垂木を形成し、
前記第１の垂木の上面に、相互に隣接する２つの垂木部材によって構成される垂木の継ぎ手部分を、はり間方向他方側から母屋に固定して、前記第１の垂木に対して、ずれた位置に継ぎ手部分を配置して、湾曲した第２の垂木を形成し、
第２の垂木の上面に、野地板を弾発的に湾曲させて固定することを特徴とする建造物の屋根構造体の建造方法である。
【００３２】
本発明に従えば、屋根形状に応じて多段的に長さを変化させた複数の小屋つかを準備し、この複数の小屋つかを小屋ばりに対してほぼ垂直に立設する。次に小屋つか上に、各母屋を配置する。このような建造方法は、従来の小屋組工法とほぼ同様の工法であるので、湾曲した屋根形状にするために特別な構造を行う必要がない。
【００３３】
また小屋ばりの延びる方向であるはり間方向一方側から、第１の垂木を湾曲させて、固定部材によって母屋に固定して、湾曲した第１の垂木を形成する。次に前記第１の垂木の上面に、はり間方向他方側から、第２の垂木を湾曲させて、固定部材によって母屋に固定して、前記第１の垂木に対して、ずれた位置に継ぎ手部分を配置して湾曲した第２の垂木を形成する。このとき第１および第２の垂木の継ぎ手部分を母屋に固定する。
【００３４】
したがって垂木部材が連結されて垂木を形成する場合、垂木部材を連結する方向が異なる。これによってほぼ同一形状の垂木部材が使用される場合、各層を成す垂木の継ぎ手部分を、はり間方向に、位置を違えて容易に配置することができる。これによって上述のように、上層の垂木は、継ぎ手部分による凹凸の影響を少なくし、上面を滑らかに形成することができる。
【００３５】
さらに野地板を弾発的に湾曲した状態で、垂木の上面に固定することによって、垂木による凹凸を低減し、上面がより滑らかな屋根形状を形成することができる。
また相互に隣接する垂木部材によって構成される継ぎ手部分を、母屋に固定する。継ぎ手部分が母屋に固定されるので、継ぎ手部分上方から荷重が加えられた場合、継ぎ手部分が変形することを防止することができる。これによって接合部分である継ぎ手部分の変形を防ぎ、継ぎ手部分の強度を向上させることができる。
【００３６】
【発明の実施の形態】
図１は、本発明の実施の一形態の建造物の屋根構造体５０の主要な構成を示し、妻側から見た断面図である。また図２は、図１の屋根構造体５０をより広範囲に示した断面図である。屋根構造体５０は、建造物の屋根部分の構造である。屋根構造体５０は、湾曲した屋根形状に形成される。屋根構造体５０は、複数の母屋５１と垂木５２と固定部材５３と野地板５４とを含んで構成される。
【００３７】
垂木５２は、複数の母屋５１間にわたって張架され、弾発的に湾曲した状態で、固定部材５３によって各母屋５１と固定される。また野地板５４が、張架された垂木５２の上方Ａ１に貼り付けられる。野地板５４は、弾発的に湾曲した状態で、垂木５２に固定される。さらに建造物５０は、野地板５４に瓦などの屋根葺材料５５が取り付けられて屋根が形成される。
【００３８】
屋根構造体５０は、さらに小屋ばり５８および小屋つか５７を含む。ほぼ水平に延びる小屋ばり５８は、柱５６の上端部に固定される。小屋ばり５８は、地面からほぼ垂直に延びる柱５６に対して直行する方向に延びる。この小屋ばり５８が延びる方向が、はり間方向Ｂとなる。小屋つか５７は、小屋ばり５８に固定され、小屋ばり５８から上方Ａ１に延びる。小屋つか５７は、はり間方向Ｂに並んで複数設けられ、屋根形状に応じてその長さが段階的に異なって形成される。したがって小屋ばり５８に取り付けられた状態の小屋つか５７は、その上端部の高さ位置が各小屋つか５７ごとに異なって段階的に設けられる。
【００３９】
各母屋５１は、各小屋つか５７の上端部ごとに設けられる。各小屋つか５７は、その高さ位置が段階的に異なるので、各母屋５１の高さ位置は、小屋つか５７に応じて多段に配置される。母屋５１は、けた行方向Ｃ、すなわち小屋つか５７の軸線と小屋ばり５８の軸線とを含む仮想一平面に対してほぼ垂直な方向に延びる角材である。また建造物において、小屋つか５７の軸線と小屋ばり５８の軸線とを含む仮想一平面に平行な面を妻側とする。また高さ位置は、地面から上端部までの位置である。
【００４０】
本実施の形態では、はり間方向一方側Ｂ１の母屋５１は、はり間方向他方側Ｂ２の母屋５１に比べて、下方Ａ２に配置される。垂木５２は、各母屋５１に当接するように弾発的に積極的に湾曲される。垂木５２は、はり間方向一方側Ｂ１になるにつれて、下方Ａ２に傾斜して延びる。垂木５２は、この積極的に曲げられた状態で、各母屋５１に固定部材５３によって固定される。したがって垂木５２は、各母屋５１の高さ位置および母屋間のはり間方向Ｂの間隔に応じて、所定の形状に曲げられる。固定部材５３は、弾発的に湾曲された状態の垂木５２が延びる方向Ｄに対して法線方向Ｅ、すなわち垂木５２の厚み方向に、垂木５２を挿通して、垂木５２を母屋５１に固定する。また屋根構造体５０は、複数の小屋つか５７を連結する小屋筋かい５９が設けられる。小屋筋かい５９と小屋つか５７とは、斜めに連結されてトラス構造を形成する。
【００４１】
本実施の形態の屋根構造体５０は、木造建造物の屋根部分の構造である。母屋５１、垂木５２および野地板５４は木材から成る。垂木５２は、母屋５１に弾発的に湾曲させるために、その厚さが薄く形成される。具体的には垂木５２は、厚さ３０ｍｍ、幅６０ｍｍ、長さ約４ｍの角材が用いられる。特に垂木５２は、やわらかい杉材が用いられる。また母屋５１は、断面の一辺が９０ｍｍの方形角材が用いられる。野地板５４は、たとえば耐水合板が２枚重ねられ、厚さ９ｍｍ以上１２ｍｍの曲げ性を有するベニヤ合板などが用いられる。また屋根葺材料として、アスファルトルーフィングが葺かれ、その上面に瓦またはガルバリウム鋼板金属板等が設けられる。
【００４２】
図３は、母屋５１および垂木５２の一部を示す屋根構造体５０の平面図である。複数の母屋５１が、けた行方向Ｃに延び、はり間方向Ｂに並んで配置される。この複数の母屋５１の上端部に、はり間方向Ｂに延びる垂木５２がけた行方向Ｃに並んで配置される。したがって屋根構造体は、各母屋５１と各垂木５２とによって格子状に形成される。屋根構造体５０は、垂木間５２に野地板５４が架設されて、屋根面を形成し、屋根葺材料が屋根面に貼り付けられることによって、屋根が形成される。たとえば湾曲した屋根形状を形成する場合、垂木５２のけた行方向Ｃの間隔Ｌ１は４００ｍｍであり、母屋間のはり間方向Ｂの間隔Ｌ２は約９００ｍｍｍである。
【００４３】
図４は、図３のセクションＩＶを拡大して示す平面図である。垂木５２と母屋５１とは、固定部材５３によって固定され、上方Ａ１から垂木５２を厚み方向に挿通して母屋５１と連結される。母屋５１と垂木５２とを連結する箇所には、２本以上の固定部材５３が、けた行方向Ｃに並んで配置される。固定部材５３は、たとえば外ねじ部材であり、すりわり付きさら木ねじ（以下ビス５３とする）が用いられ、具体的には、長さ約６５ｍｍ、ねじ部のよび径３ｍｍ、さら部最大直径８ｍｍの亜鉛めっきビスが用いられる。このようなビスを固定部材５３に用いることによって、ビスに形成されるねじ山によって、垂木５２と母屋５１との結合力を高めることができる。
【００４４】
図５は、図１のセクションＶを拡大して垂木５２と母屋５１との近傍を示す断面図である。ビス５３は、弾発的に湾曲された状態の垂木５２が延びる方向Ｄに対して法線方向Ｅ、すなわち垂木５２を厚み方向に挿通して、垂木５２を母屋５１に固定する。垂木５２がはり間方向Ｂに対して傾斜している部分では、垂木５２は、母屋５１の隅部６０に当接する。垂木５２と当接する母屋５１の隅部６０は、垂木５２の湾曲具合によって異なる。図５に示すように、垂木５２が屋根構造体外方に向かって突出して湾曲する場合は、母屋５１の軒側上方の隅部６０で垂木５２と当接する。ビス５３の先端部は、垂木５２の上面から垂木５２を厚み方向Ｅに螺進し、母屋５１の隅部６０付近から母屋５２に螺着する。ビス５３は、母屋５１の中心に向かって延び、母屋に形成される複数の年輪を直交する方向に延びることが望ましい。
【００４５】
また母屋５１は、断面が方形の角材であるとしたが、母屋５１の隅部６０を、垂木５２の湾曲具合に応じて削ってもよい。これによって垂木５２は、母屋５１と面接触することができる。垂木５１が母屋５１と面接触することによって、垂木５２にかかる集中荷重を分散することができる。またビス５３が、垂木５２と母屋５１との当接面から母屋５１に挿入することによって、垂木５２と母屋５１との間に露出するビス５３部分がなく、垂木５２と母屋５１とを好適に固定することができる。さらに垂木５２が母屋５１の削られた面に沿って湾曲することで、より滑らかな湾曲形状を有する屋根形状を形成することができる。
【００４６】
図６は、図１のセクションＶＩを拡大して垂木５２の継ぎ手部分６４の近傍を示す断面図である。垂木５２は、はり間方向Ｂに延びる複数の垂木部材５２ａ，５２ｂによって構成される。相互に隣接する２つの垂木部材５２ａ，５２ｂは、上方側と下方側とに配置される。本実施の形態では、上方側に配置される垂木部材５２ａは、上方Ａ１かつはり間方向他方側Ｂ２側に位置する棟部寄りに配置され、下方側に配置される垂木部材５２ｂは、下方Ａ２かつはり間方向一方側Ｂ１側に位置する軒部寄りに配置される。
【００４７】
相互に隣接する２つの垂木部材５２ａ，５２ｂのうち、棟部寄りに配置される垂木部材５２ａの下端部６１には、下方Ａ２になるにつれて下面６１ａに近接する方向に傾斜する第１接合面６１ｂが形成される。第１接合面６１ｂは、棟部寄りに配置される垂木部材５２ａの上面から下面にわたって傾斜して形成される。
【００４８】
また前記隣接する２つの垂木部材５２ａ，５２ｂのうち、軒部寄りに配置される垂木部材５２ｂの上端部６２には、上方Ａ１になるにつれて上面６２ａに近接する方向に傾斜する第２接合面６２ｂが形成される。第２接合面６２ｂは、軒部寄りに配置される垂木部材５２ａの上面から下面にわたって傾斜して形成される。
【００４９】
棟部寄りに配置される垂木部材５２ａの最下端６３、すなわち下面６１ａと第１接合面６１ｂとの交差する端部が、母屋５１の隅部６０と当接する。隅部６０は、母屋５１の上端部かつ、はり間方向一方側Ｂ１の部分である。このように母屋５１の隅部６０に最下端６３が当接される状態で、棟部寄りに配置される垂木部材５２ａの下端部６１と軒部寄りに配置される垂木部材５２ｂの上端部６２とが、母屋５１上で第１接合面６１ｂ上に第２接合面６２ｂが重ねられ、継ぎ手部分６４を構成する。
【００５０】
この継ぎ手部分６４が、ビス５３によって母屋５１に固定される。継ぎ手部分６４では、ビス５３の先端部は、軒部寄りの垂木部材５２ｂの上面から螺進し、垂木５２の厚み方向に挿通する。またビス５３の先端部は、第１および第２の接合面６１ｂ，６２ｂを通過し、母屋５１のはり間方向Ｂ中央位置５１ａから母屋５１に螺着する。ビス５３が棟部寄りに配置される垂木部材５２ａを挿通する長さｈ１と、ビス５３が軒部寄りに配置される垂木部材５２ｂを挿通する長さｈ２とがほぼ均等になる位置に挿入されることが好ましい。
【００５１】
また上述のように母屋５１の隅部６０が、湾曲屋根形状に沿って削られている場合、棟部寄りに配置される垂木部材５２ａと軒部寄りに配置される垂木部材５２ｂとが、ともに隅部６０で部分的に当接することが望ましい。これによって棟部寄りの垂木部材５２ａの最下端６３が、母屋５１と一箇所で当接することを防止し、垂木５２が、継ぎ手部分６４から破損することを防止することができる。
【００５２】
さらに棟部寄りに配置される垂木部材５２ａの下面６１ａの一部を隅部６０に当接させることが好ましい。これによって棟部寄りに配置される垂木部材５２ａを母屋５１に当接させた状態で、軒部寄りに配置される垂木部材５２ｂを重ねることによって、ビス５３によって下方Ａ２に押し付けて、母屋５１に固定することができる。これによって第１の接合面と第２の接合面との隙間を無くして、垂木部材同士を連結することができる。
【００５３】
また相互に隣接する２つの垂木部材５２ａ，５２ｂにおいて、棟部寄りに配置される垂木部材５２ａの下端部６１に第２の接合面が形成され、軒部寄りに配置される垂木部材５２ｂの上端部６２に第１の接合面が形成されてもよい。このような相互に隣接する２つの垂木部材５２ａ，５２ｂは、棟部寄りに配置される垂木部材５２ａの下端部６１には、上方Ａ１になるにつれて上面に近接する方向に傾斜する第２接合面が形成される。第２接合面は、棟部寄りに配置される垂木部材５２ａの上面から下面にわたって傾斜して形成される。また前記隣接する２つの垂木部材５２ａ，５２ｂのうち、軒部寄りに配置される垂木部材５２ｂの上端部６２には、下方Ａ２になるにつれて下面に近接する方向に傾斜する第１接合面が形成される。第２接合面は、軒部寄りに配置される垂木部材５２ａの上面から下面にわたって傾斜して形成される。
【００５４】
以上のように本実施の形態によれば、垂木５１を弾発的に湾曲させた状態で、母屋５２に固定するので、小屋つか５７の長さおよびピッチを変更することによって、垂木５２の湾曲具合を容易に調整することができる。したがって従来のように、屋根形状に合わせて特別に、垂木５２を加工する必要がなく、安価に屋根構造体を形成することができる。野地板５４を湾曲させた状態で、垂木５１に固定することによって、さらに滑らかな湾曲形状を有する屋根形状を得ることができる。
【００５５】
またビス５３が厚み方向に垂木５２を挿通することによって、垂木５２から突出するビス５３の部分を多くすることができ、母屋５１に螺着するビス部分を増やすことができる。母屋５１に螺着するビス５３部分を増やすことによって、母屋５１と垂木５２との結合をより強力にすることができる。またビス５３が隅部６０付近から母屋１５に挿入することによって、垂木５２と母屋５１との間の部分に露出するビス５３部分を減らすことができる。これによって母屋５１に螺着するビス５３部分を増やすことができる。さらにビス５３は、ねじ山が形成されるので、螺着されるビス５３と母屋５１との摩擦抵抗を増やすことができる。したがってビス５３は、垂木５２が湾曲された状態から復元しようとする復元力に抗して、垂木５２を母屋５１に確実に固定することができる。このようなビス５３をけた行方向Ｃに複数配置することによって、さらに確実に垂木５２を母屋５１に確実に固定することができる。
【００５６】
図７は、本発明の実施の他の形態の建造物の屋根構造７０の主要な構成を示し、妻側から見た断面図である。また図８は、図７の屋根構造体７０をより広範囲に示した断面図である。図７および図８に示す屋根構造体７０は、図１に示す屋根構造体５０と類似しており、同様の構成については説明を省略し、図１に示す屋根構造体５０と同様の参照符号を付す。屋根構造体７０は、はり間方向Ｂに並んで、上方に延びる小屋つか５７ごとに、けた行方向Ｃに延びる母屋５１が固定される。母屋５１の上端部には、上下方向Ａ１，Ａ２に２層の垂木７１，７２が積層されて設けられる。
【００５７】
２層の垂木７１，７２は、弾発的に湾曲した状態で、ビス５３ｂ，５３ｃによって母屋５１に固定される。上方側の垂木７１の上面には、野地板５４が屋根構造体７０を上部からふさぐように配置される。野地板５４に、瓦などの屋根葺材料５５が設けられることによって、屋根が形成される。前述の屋根構造体５０と同様に、垂木７１，７２が湾曲されて母屋５１に固定されるので、屋根形状に応じた垂木を加工する必要がなく、容易に湾曲した屋根形状を有する屋根構造体７０を形成することができる。
【００５８】
下方側の垂木７２は、前述の屋根構造体５０と同様に、ビス５３ｃによって、母屋５１に固定される。また下方側の垂木７２の上面に、上方側の垂木７１が固定される。上方側の垂木７１も下方側の垂木７２と同様にビス５３ｂによって、母屋５１に固定される。
【００５９】
下方側の垂木７２は、複数の母屋間にわたって架橋される複数の垂木部材７２ａ，７２ｂによって構成される。複数の垂木部材７２ａ，７２ｂは、第１接合面および第２接合面が形成され、第１接合面および第２接合面が重なる継ぎ手部分７４が構成される。ビス５３ｃは、継ぎ手部分７４を挿通して母屋５１に螺着する。これによって垂木部材７２ａ，７２ｂが互いに連結された状態で、下方側の垂木７２が母屋５１に固定される。
【００６０】
上方側の垂木７１も同様に、複数の母屋間にわたって架橋される複数の垂木部材７１ａ，７１ｂによって構成される。複数の垂木部材７１ａ，７１ｂは、上述の屋根構造体５０の垂木５２と同様に、第１接合面および第２接合面が形成され、第１接合面および第２接合面が重なる継ぎ手部分７３が構成される。ビス５３ｂは、継ぎ手部分７３を挿通し、さらに下方側の垂木７２を挿通して、母屋５１に螺着する。これによって垂木部材７１ａ，７１ｂが互いに連結した状態で、上方側の垂木７１と下方側の垂木７２および母屋５１とが固定される。
【００６１】
上方側の垂木７１は、下方側の垂木７２と固定するための垂木連結ビス５３ａが螺着されて、下方側の垂木７２に固定される。垂木連結ビス５３ａは、はり間方向Ｂにおいて、隣接する２つの母屋５１の間にほぼ等間隔に２つ設けられる。垂木連結ビス５３ａは、上方側の垂木７１の上面から上方側の垂木７１を厚み方向に挿通し、下方側の垂木７２に螺着する。これによって上下方向に積層される２つの垂木７１，７２は、上下方向に隙間なく固定される。
【００６２】
下方側の垂木７２の継ぎ手部分７４の上方Ａ１には、上方側の垂木７１の垂木部材が配置される。これによって下方側の垂木７２の継ぎ手部分７４に生じる凹凸を、上方側の垂木部材が覆い、下方側の垂木７２の継ぎ手部分７４の凹凸の影響を低減することができる。
【００６３】
また上方側の垂木７１の継ぎ手部分７３の下方には、下方側の垂木７２の垂木部材が配置される。これによって上方側の垂木７１の継ぎ手部分７３は、下方側の垂木部材の滑らかな面に面接触して固定されるので、上方側の垂木７１の継ぎ手部分７３に生じる凹凸を低減することができる。このように継ぎ手部分の位置を違えて配置することによって、上層の垂木は、継ぎ手部分による凹凸の影響を少なくし、滑らかな面を有することができる。
【００６４】
図９は、母屋５１および垂木７２の一部を示す屋根構造体７０の平面図である。屋根構造体７０は、複数の母屋５１が、けた行方向Ｃに延び、はり間方向Ｂに並んで配置される。下方側の垂木７２は、複数の母屋５１の上端部に固定される。また下方側の垂木７２は、はり間方向Ｂに延び、けた行方向Ｃに並んで配置される。下方側の垂木７２の上方には、上方側の垂木７１が積層される。上方側の垂木７１は、下方側の垂木７２と同様に、はり間方向Ｂに延び、けた行方向Ｃに並んで配置される。図９に示すように、各層を成す垂木７１，７２の継ぎ手部分７３，７４は、はり間方向Ｂに位置を違えて配置される。
【００６５】
また下方側の垂木７２を母屋５１に固定するビス５３ｃは、けた行方向Ｃに２列以上並んで配置される。上方側の垂木７１を母屋５１および下方の垂木７２に固定するビス５３ｂおよび垂木連結用ビス５３ａも同様に、けた方向Ｃに２列以上並んで配置される。ビス５３ｂ，５３ｃは、母屋上に配置され、そのはり間方向の間隔は、約９００ｍｍである。また垂木連結用ビス５３ａは、たとえば約３００ｍｍ間隔で設けられる。
【００６６】
図１０は、図７の屋根構造体７０のセクションＸを拡大して示す断面図である。母屋５１には、下方側の垂木７２を母屋に固定するための下方側のビス５３ｃと、上方側の垂木７１を母屋５１に固定するための上方側のビス５３ｂとの２つのビス５３ｂ，５３ｃが螺着される。下方側のビス５３ｃと上方側のビス５３ｂとは、それぞれ挿通する垂木７１，７２を厚み方向に挿通し、はり間方向Ｂにずれた位置に配置される。下方側のビス５３ｃは、母屋５１の隅部６０付近に螺着される。また上方側のビス５３ｂは、下方側のビス５３ｃよりも棟部側Ｂ２部分に螺着される。母屋５１は、図１に示す屋根構造体５０と同様に、湾曲形状に応じて一部が削られている。
【００６７】
以上のように本実施の形態によれば、上述の図１に示す屋根構造体５０と同様の効果を得ることができる。さらに垂木７１，７２を上下に積層することによって、瓦などの重量の大きい材質の屋根葺材料が積載された場合でも、屋根構造体が耐えうる強度を向上することができる。また垂木連結ビス５３ａが、上下の垂木７１，７２を複数の箇所で結合することによって、垂木間に上下方向の隙間をなくすることができる。これによって上方側の垂木７１に作用する荷重を、分散して下方側の垂木７２に伝えることができ、垂木全体の強度を向上することができる。また垂木を２層に積層することによって、継ぎ手部分に生じる凹凸の影響を少なくして、より滑らかな屋根形状を有する屋根構造体を建造することができる。
【００６８】
図１１は、本発明の屋根構造体７０の建造工程を示す断面図であり、図１１（１）から図１１（８）の順に建造工程が行われる。図１１（１）は土台８１が敷き込まれた状態を示し、図１１（２）は柱が立設された状態を示し、図１１（３）は、２階の床組構造が形成された状態を示し、図１１（４）は、小屋つか５７および母屋５１が取り付けられた状態を示し、図１１（５），１１（６），１１（７）は、垂木部材が取り付けられる状態を順に示し、図１１（８）は、建造された屋根構造体７０を示す。また図１２は、屋根構造体７０の建造工程を示すフローチャートである。
【００６９】
屋根構造体７０の建造工程は、まずステップｓ０において、建造者が、屋根構造体７０に用いられる小屋つか５７、垂木５２および母屋５２などの屋根構造体７０を建造するための部材を調達するなどの準備を行う。このとき小屋つか５７は、その長さが屋根形状に応じて予め加工される。このような準備工程が完了するとステップｓ１に進む。
【００７０】
ステップｓ１では、建造者が、屋根構造を建造するための基礎工事と土台敷き込みとを行う。これによって図１１（１）に示すように、屋根構造体７０は、建造者によって、基礎部分８０が形成され、基礎部分８０に土台８１および火打ち土台が敷き込まれる。土台８１が敷きこまれるとステップｓ２に進む。
【００７１】
ステップｓ２では、建造者によって、図１１（２）に示すように、柱が立設される。建造者は、通し柱５６を立設し、次に管柱を立設する。次にステップｓ３に進む。ステップｓ３では、建造者が、管柱の上端部に胴差しを取り付ける。胴差しが取り付けた後に、梁および火打ち梁が取り付け、いわゆる軸組構造を形成する。このように軸組構造が形成した後、根太を取り付け、２階の床板８２を張り、図１１（３）に示すように、２階の床組構造を形成する。建造者が床板８２を形成した後、ステップｓ４に進む。
【００７２】
ステップｓ４では、図１１（４）に示すように、屋根構造体７０は、小屋組構造の形成が行われる。建造者によって、通し柱５６の上端部に軒けた８３が、けた行方向に延びて配置される。また軒けた８３の延びる方向と直行する方向に延びる小屋ばり５８が、通し柱５６の上端部に配置される。次に小屋ばり５８の上部に、小屋つか５７が立設される。各小屋つか５７は、屋根形状に応じて上端部の高さ位置が多段的になるように配置される。次に母屋５１が、小屋つか５７の上端部に取り付けられる。また小屋つか５７の最も上端部に位置する部分には、けた行方向Ｃに延びる棟木８４が取り付けられ、ステップｓ５に進む。
【００７３】
ステップｓ５では、建造者が、母屋５１の上端部に第１の垂木７２を取り付ける。第１の垂木７２は、複数の垂木部材から構成される。まず図１１（５）に示すように、垂木部材７２ｂを、複数の母屋５１間に張架させ、はり間方向一方側Ｂ１の軒けた８３ａからはり間方向他方側Ｂ２にむけて、各母屋５１に沿って湾曲させる。このとき垂木部材７２ｂの上端部、すなわちはり間方向他方側Ｂ２の端部を母屋上に位置させる。
【００７４】
次に湾曲された状態の垂木部材７２ｂの上端部以外の部分を、ビス５３によって母屋５１に固定する。次に軒寄りに配置される垂木部材７２ｂに対して、はり間方向他方Ｂ２側に、別の垂木部材７２ａを配置する。したがって前記別の垂木部材７２ａは、軒寄りに配置される垂木部材７２ｂに比べて棟寄りに配置される。
【００７５】
次に上述の２つの隣接して配置される垂木部材７２ａ，７２ｂのうち、棟寄りに配置される垂木部材７２ａの下端部と、軒寄りに配置される垂木部材７２ｂの上端部とを重ねて、図６に示す垂木７２の継ぎ手部分７４を構成する。軒寄りに配置される垂木部材７２ｂの上端部が母屋５１上に配置されるので、継ぎ手部分７４は、母屋５１上に配置される。また本実施の形態では、棟寄りに配置される垂木部材７２ａの下端部は、はり間方向一方側Ｂ１端部であり、軒寄りに配置される垂木部材７２ｂの上端部は、はり間方向他方側Ｂ２端部となる。
【００７６】
次にビス５３ｃによって継ぎ手部分７４を母屋５１に固定する。次に２つの隣接して配置される垂木部材７２ａ，７２ｂのうち、棟寄りに配置される垂木部材７２ａを複数の母屋５１間に張架させ、母屋５１に沿って湾曲させる。このとき垂木部材７２ａのはり間方向他方側Ｂ２の端部を母屋上に位置させ、湾曲された状態の垂木部材７２ａのはり間方向他方側Ｂ２の端部以外を、ビス５３ｃによって母屋５１に固定する。
【００７７】
次に、さらに別の垂木部材を前述の垂木部材７２ａに隣接させて前述と同様に連結する。このように複数の垂木部材を順に連結し、はり間方向他方側Ｂ２の軒けた８３ｂまで形成し、図１１（６）に示すように、湾曲した第１の垂木７２を形成する。湾曲した垂木７２を形成した後、ステップｓ６に進む。
【００７８】
ステップｓ６では、第１の垂木７２の上面に第２の垂木７１を取り付ける。第２の垂木７１は、複数の垂木部材から構成される。まず図１１（７）に示すように、はり間方向他方側Ｂ２の軒けた８３ｂ上方から、はり間方向一方側Ｂ１に垂木部材７１ａを配置する。このとき垂木部材７１ａのはり間方向他方側Ｂ２の端部を母屋５１上に配置する。
【００７９】
次に建造者は、前述の垂木部材７１ａを第１の垂木の形状に沿わせて湾曲させ、湾曲させた状態でビス５３ｂによって固定する。ビス５３ｂは、母屋上で第１の垂木７２を厚み方向に挿通して、母屋５１に螺着する。また建造者は、母屋間に垂木連結ビス５３ａを挿入し、第１の垂木７２と垂木部材７１ａとを固定する。垂木連結ビス５３ａは、垂木部材７１ａを挿通して、第１の垂木７２に螺着する。
【００８０】
次にステップｓ５と同様に、複数の垂木部材によって形成される継ぎ手部分をビス５３ｃによって連結し、湾曲した第２の垂木７１を形成する。このとき第１の垂木７２と第２の垂木７１とは、異なった方向から連結されて形成されることによって、はり間方向Ｂに対して、第１の垂木７２と第２の垂木７１とで、継ぎ手部分を異なった位置に配置することができる。次にステップｓ７に進む。
【００８１】
ステップｓ７では、野地板５４が弾発的に湾曲した状態で、第２の垂木７１に取り付けられる。また屋根構造体７０を補強するために、トラス部材である筋かい８４および小屋筋かい５９が取り付けられる。次に野地板５４に瓦などの屋根葺材料５５が取り付けられ、ステップｓ８に進み、ステップｓ８で屋根構造体７０の建造工程が終了する。
【００８２】
以上のように、屋根構造体７０を建造することによって、従来の小屋組構造とほぼ同様な建造工程および建造方法を用いることができる。したがって湾曲した屋根形状を有する屋根構造体７０を建造するために、特別な構造を必要とせず、容易に建造することができる。また第１の垂木を構成する垂木部材を固定する方向と、第２の垂木を構成する垂木部材を固定する方向を異ならせることによって、垂木の継ぎ手部分を上下の垂木において容易に異ならせることができる。
【００８３】
図１３は、さらに本発明の実施の他の形態の屋根構造体９０の構成を示し、妻側から見た断面図である。図１３に示す屋根構造体９０において、図１に示す屋根構造体５０と同様の構成については、同様の符号を付し、説明を省略する。図１３に示すように、屋根構造体９０は、上方に傾斜して延びる登り梁９１が柱５６間に設けられる。この登り梁９１に複数の小屋つか５７が固定される。小屋つか５７は、はり間方向Ｂに並んで配置される。また小屋つか５７の上端部の高さ位置は、屋根形状に応じて多段的になるように固定される。
【００８４】
小屋つか５７は、その上端部に母屋５１が、各小屋つか５７ごとに固定される。母屋５１は、けた行方向Ｃに延びる。屋根構造体９０は、図１に示す屋根構造体５０と同様に、垂木９２ａ、９２ｂが弾発的に湾曲させた状態で、母屋５１の上端部に、ビス５３によって固定される。このように湾曲された垂木９２ａ、９２ｂに野地板および屋根葺材料が取り付けられることによって、屋根が形成される。
【００８５】
屋根構造体９０の垂木９２ａ、９２ｂは、はり間方向Ｂに２つに分割されて形成され、はり間方向一方側Ｂ１の垂木９２ａと、はり間方向他方Ｂ２側の垂木９２ｂとは、異なった湾曲形状を有する。また、はり間方向一方側Ｂ１の垂木９２ａと、はり間方向他方Ｂ２側の垂木９２ｂとは、上端部の高さ位置が異なって形成される。これによって屋根構造体９０の屋根形状は、上下方向に段差が形成される。
【００８６】
図１４は、さらに本発明の実施の他の形態の屋根構造体の屋根形状１００，１０１，１０２，１０３の概略を示す正面図である。本実施の形態によって用いられる屋根構造体は、外方に向かって突出して湾曲される屋根形状のほかに、湾曲する屋根形状を有する建造物全般に用いることができる。たとえば屋根構造体の屋根形状は、外方に向かって突出して湾曲されるほかに、図１４（１）に示すように、屋根構造体の屋根形状１００は、内方に向かって突出して湾曲して形成されてもよい。また図１４（２）に示すように、屋根構造体の屋根形状１０１は、上下方向Ａ１，Ａ２に段差ｈが形成されるとともに、はり間方向一方側Ｂ１の屋根１０１Ａが直線状に延び、はり間方向他方側Ｂ２側の屋根１０１Ｂが外方に湾曲して延びてもよい。また図１４（３）に示すように、屋根形状１０２は、上端部１０２Ｃが、はり間方向Ｂの中央でなくてもよく、はり間方向一方側Ｂ１の屋根１０２Ａが内方に向かって突出して湾曲し、はり間方向他方側Ｂ２の屋根１０２Ｂが外方に湾曲して延びてもよい。また図１４（４）に示すように、屋根形状１０３は、上方側Ａ１の屋根１０３Ａと下方側Ａ２の屋根１０３Ｂとで湾曲形状が異なり、鏡餅の断面形状のように、上方側の屋根１０３Ａよりも下方側の屋根１０３Ｂの曲率が大きく形成されてもよい。また垂木が屋根構造体内方に向かって突出して湾曲する場合は、図５に示す棟側上方の隅部６５で当接することが好ましい。これによって垂木は、滑らかに湾曲することができる。以上のような図１３および図１４に示す屋根構造体であっても、図１および図７に上述した屋根構造体５０，７０と同様の効果を得ることができる。
【００８７】
また上述の発明の実施の形態は、発明の例示に過ぎず、発明の範囲内で構成を変更することができる。たとえば屋根構造体は、特に木造が好ましいが、木造でなくてもよく、一部が鉄骨構造であってもよい。また小屋組構造は、和小屋でなくてもよく洋小屋であってもよい。
【００８８】
また母屋５１の隅部６０に垂木５２，７１が延びる方向に、垂木５２，７１と同等の幅を有する切り欠きを設けてもよい。これによって垂木５２，７１は、切り欠きに嵌め込むことによって、けた行方向Ｃに容易に位置決めすることができる。垂木５２，７１を容易に位置決めすることができるので、垂木５２，７１を湾曲させた状態で、母屋５１に結合することが容易に行うことができる。
【００８９】
また母屋間のピッチを縮めることによって屋根構造体の強度をさらに高めることができる。たとえば母屋間のはり間方向Ｂのピッチを９００ｍｍから６００ｍｍにすることによって、屋根葺材料に対する十分な強度を得ることができる。また、垂木の厚さを厚くしてもよく、たとえば厚さ３０ｍｍ、幅９０ｍｍである垂木の断面形状を、厚さ４５ｍｍ、幅９０ｍｍとすることによって屋根構造体の強度を高めることができる。また野地板の厚みを増してもよく、たとえば厚さ１２ｍｍである野地板の厚さを１５ｍｍないし１８ｍｍにしてもよい。また垂木を３層にしてもよい。
【００９０】
【発明の効果】
請求項１記載の本発明によれば、各屋根形状に応じて特別に垂木の形状を加工する必要がなく、屋根形状にかかわらず、共通な垂木を用いることができる。これによって共通化された垂木を用いることができるので、垂木の材料コストを削減し、屋根構造体建造に必要な建造費用を低減させることができる。
また継ぎ手部分では、一方の垂木部材と他方の垂木部材とを挿通して、互いの垂木部材を１つの固定部材によって連結することができる。また継ぎ手部分を母屋に固定することによって、継ぎ手部分の上下移動を規制し、継ぎ手部分での強度を向上させることができる。このように垂木において強度が低下する継ぎ手部分を母屋上に配置することによって、強度低下を防ぐことができる。
【００９３】
また請求項２記載の本発明によれば、従来の小屋組工法とほぼ同様の工法において、小屋つかの長さおよびピッチを、任意の屋根形状に応じて調整するだけで、垂木の湾曲形状を整えることができ、湾曲した屋根形状を有する屋根構造体を容易に形成することができる。これによって湾曲した屋根形状を有する屋根構造体を複雑な登り梁および鉄骨梁などを有する複雑な構造にする必要がなく、屋根構造体建造に必要な建造費用を低減させることができる。
【００９８】
また請求項３記載の本発明によれば、屋根構造体の建造方法が従来の小屋組工法とほぼ同様の工法であるので、湾曲した屋根形状にするために特別な構造を行う必要がなく、容易にかつ安価に屋根構造体を建造することができる。また第１の垂木と第２の垂木の固定する方向を異ならせることによって、各層を成す垂木の継ぎ手部分を、はり間方向に位置を違えて容易に配置することができる。
【００９９】
これによって上層の垂木は、継ぎ手部分による凹凸の影響を少なくし、上面を滑らかに形成することができる。さらに野地板を弾発的に湾曲した状態で、垂木の上面に固定することによって、垂木による凹凸を低減し、上面がより滑らかな屋根形状を形成することができる。
また継ぎ手部分では、一方の垂木部材と他方の垂木部材とを挿通して、互いの垂木部材を１つの固定部材によって連結することができる。また継ぎ手部分を母屋に固定することによって、継ぎ手部分の上下移動を規制し、継ぎ手部分での強度を向上させることができる。このように垂木において強度が低下する継ぎ手部分を母屋上に配置することによって、強度低下を防ぐことができる。
【図面の簡単な説明】
【図１】本発明の実施の一形態の建造物の屋根構造体５０の主要な構成を示し、妻側から見た断面図である。
【図２】図１の屋根構造体５０をより広範囲に示した断面図である。
【図３】母屋５１および垂木５２の一部を示す屋根構造体５０の平面図である。
【図４】図３のセクションＩＶを拡大して示す平面図である。
【図５】図１のセクションＶを拡大して示す断面図である。
【図６】図１のセクションＶＩを拡大して垂木５２の継ぎ手部分６４の近傍を示す断面図である。
【図７】本発明の実施の他の形態の建造物の屋根構造７０の主要な構成を示し、妻側から見た断面図である。
【図８】図７の屋根構造体７０をより広範囲に示した断面図である。
【図９】母屋５１および垂木７２の一部を示す屋根構造体７０の平面図である。
【図１０】図７の屋根構造体７０のセクションＸを拡大して示す断面図である。
【図１１】本発明の屋根構造体７０の建造工程を示す断面図である。
【図１２】屋根構造体７０の建造工程を示すフローチャートである。
【図１３】さらに本発明の実施の他の形態の屋根構造体９０の構成を示し、妻側から見た断面図である。
【図１４】さらに本発明の実施の他の形態の屋根構造体の屋根形状１００，１０１，１０２，１０３の概略を示す正面図である。
【図１５】従来の技術の建造物１の構成を妻側から見て示す断面図である。
【図１６】他の従来の技術の屋根構造体２０の一部を示し、妻側から見た断面図である。
【図１７】さらに他の従来の技術の屋根構造体３０の一部を示し、妻側から見た断面図である。
【図１８】さらに他の従来の技術の屋根構造体４０の一部を示し、妻側から見た断面図である。
【符号の説明】
５０，７０，９０  屋根構造体
５１  母屋
５２  垂木
５２ａ  上方側に配置される垂木部材
５２ｂ  下方側に配置される垂木部材
５３  ビス
５４  野地板
５５  屋根葺材料
５６  柱
５７  小屋つか
５８  小屋ばり
５９  小屋筋かい
６０  母屋５１の隅部
６１  上方側に配置される垂木部材の下端部
６２  下方側に配置される垂木部材の上端部
６３  上方側に配置される垂木部材５２ａの最下端
６４  継ぎ手部分
Ａ１  上方
Ａ２  下方
Ｂ１  はり間方向一方向
Ｂ２  はり間方向他方向
Ｃ  けた行方向
【図１】
0003550108.tif 000002
【図２】
0003550108.tif 000003
【図３】
0003550108.tif 000004
【図４】
0003550108.tif 000005
【図５】
0003550108.tif 000006
【図６】
0003550108.tif 000007
【図７】
0003550108.tif 000008
【図８】
0003550108.tif 000009
【図９】
0003550108.tif 000010
【図１０】
0003550108.tif 000011
【図１１】
0003550108.tif 000012
【図１２】
0003550108.tif 000013
【図１３】
0003550108.tif 000014
【図１４】
0003550108.tif 000015
【図１５】
0003550108.tif 000016
【図１６】
0003550108.tif 000017
【図１７】
0003550108.tif 000018
【図１８】
0003550108.tif 000019